(57)【特許請求の範囲】
【請求項１】
回転可能に支持されてシート状物を保持するくわえ爪装置を有する圧胴と、
回転可能に支持されて前記圧胴に対接し、当該圧胴の前記くわえ爪装置と対向する位置に切欠き部を有するゴム胴と、
前記ゴム胴に対接して当該ゴム胴にインキを転写するロータリースクリーンと、
前記ゴム胴の前記切欠き部に設けられ、前記圧胴の前記くわえ爪装置との干渉を避けるように当該くわえ爪装置との対向位置に逃がし穴を形成されると共に当該ゴム胴の当該切欠き部内への前記ロータリースクリーンの落ち込みを防ぐカバーと
を備えたことを特徴とする印刷機。
【発明の詳細な説明】
【技術分野】
【０００１】
本発明は、圧胴に保持された枚葉紙などのシート状物にインキを転写して印刷を行う印刷機に関し、特に、枚葉紙にスクリーン印刷を行う場合に適用すると有効である。
【背景技術】
【０００２】
スクリーン印刷を行う従来の印刷機は、絵柄に応じた小孔をエッチングした薄いスクリーン（ステンレスやニッケルなどからなる）を円筒状にして回転可能に支持した中空胴の内部に、フレームに固定支持されたインキ壺およびスキージを装備したロータリースクリーンを用い、中空胴を回転させながらインキ壺内のインキをスキージにより中空胴の上記小孔から押し出すことにより、絵柄に対応させた印刷を行うことができる。このため、ロータリースクリーン印刷は、特殊インキ等を厚盛りで印刷することができるので、見栄えや手触りなどに高級感を与える場合に適用されている。
【先行技術文献】
【特許文献】
【０００３】
【特許文献１】特開平６−０４８０１４号公報（段落［００２４］−［００２６］、図１）
【特許文献２】特開平８−２３０１４９号公報（段落［０００９］−［００１０］）
【特許文献３】特開平１０−００１８８０号公報（段落［００１５］，［００２４］−［００２５］，［００３４］−［００３６］，図１）
【発明の概要】
【発明が解決しようとする課題】
【０００４】
ロータリースクリーンは、前述したように、薄肉の中空胴を内部からスキージで押圧しながら特殊インキ等を小孔から押し出して印刷しているため、ウェブに対してスクリーン印刷を行うと、ウェブのテンションが変化しやすいことから、良好に行うことが難しかった。
【０００５】
一方、枚葉紙に対してロータリースクリーンを用いて印刷しようとすると、枚葉紙にテンション変化を生じることがないので、良好に行うことができるものの、外周面から突出して枚葉紙を把持するくわえ爪装置を圧胴に設けなければならないため、当該圧胴と対接するロータリースクリーンの中空胴に上記くわえ爪装置が接触し、当該中空胴を損傷させてしまう虞があった。
【０００６】
このようなことから、本発明は、圧胴に保持されたシート状物にロータリースクリーンからインキを良好に転写することができる印刷機を提供することを目的とした。
【課題を解決するための手段】
【０００７】
前述した課題を解決するための、本発明による印刷機は、回転可能に支持されてシート状物を保持するくわえ爪装置を有する圧胴と、回転可能に支持されて前記圧胴に対接し、当該圧胴の前記くわえ爪装置と対向する位置に切欠き部を有するゴム胴と、前記ゴム胴に対接して当該ゴム胴にインキを転写するロータリースクリーンと、前記ゴム胴の前記切欠き部に設けられ、前記圧胴の前記くわえ爪装置との干渉を避けるように当該くわえ爪装置との対向位置に逃がし穴を形成されると共に当該ゴム胴の当該切欠き部内への前記ロータリースクリーンの落ち込みを防ぐカバーとを備えたことを特徴とする。
【発明の効果】
【０００８】
本発明の印刷機によれば、圧胴のくわえ爪装置とロータリースクリーンとの干渉を避けながらも、ゴム胴の切欠き部に対するロータリースクリーンの支障を防ぐことができるので、ロータリースクリーンによるインキの転写をシート状物に対して良好に行うことができる。
【図面の簡単な説明】
【０００９】
【図１】本発明による印刷機の実施の形態の全体概略構成図である。
【図２】図１の矢線II部の抽出拡大図である。
【図３】図１の矢線 III部の抽出拡大図である。
【図４】図３の矢線IV方向からみた図である。
【図５】本発明による印刷機の他の実施の形態の全体概略構成図である。
【図６】本発明による印刷機の他の実施の形態の全体概略構成図である。
【図７】本発明による印刷機の他の実施の形態の全体概略構成図である。
【発明を実施するための形態】
【００１０】
本発明による印刷機の実施の形態を図１〜４を用いて説明する。図１は、印刷機の全体概略構成図、図２は、図１の矢線II部の抽出拡大図、図３は、図１の矢線 III部の抽出拡大図、図４は、図３の矢線IV方向からみた図である。
【００１１】
図１に示すように、給紙部１０には、給紙台１１が設けられている。給紙部１０には、給紙台１１上のシート状物である枚葉紙１を印刷部２０に一枚ずつ送給するフィーダボード１２が設けられている。フィーダボード１２の先端には、印刷部２０の第一オフセット印刷ユニット２０ａの圧胴２１ａに枚葉紙１を渡すスイング装置１３が設けられている。
【００１２】
図１，２に示すように、印刷部２０の第一オフセット印刷ユニット２０ａの圧胴２１ａのスイング装置１３より回転方向下流側には、ゴム胴２２ａが対接している。ゴム胴２２ａの圧胴２１ａより回転方向上流側には、版胴２３ａが対接している。版胴２３ａのゴム胴２２ａより回転方向上流側には、インキ供給装置２４ａが設けられている。版胴２３ａのインキ供給装置２４ａより回転方向上流側には、給水装置２５ａが設けられている。
【００１３】
図１に示すように、第一オフセット印刷ユニット２０ａの圧胴２１ａのゴム胴２２ａより回転方向下流側は、渡胴２６ａを介して、第二オフセット印刷ユニット２０ｂの圧胴２１ｂに対接している。この第二オフセット印刷ユニット２０ｂは、前記第一オフセット印刷ユニット２０ａと同様にして、ゴム胴２２ｂ、版胴２３ｂ、インキ供給装置２４ｂ、給水装置２５ｂ等を備えている。
【００１４】
また、第二オフセット印刷ユニット２０ｂの圧胴２１ｂのゴム胴２２ｂより回転方向下流側は、渡胴２６ｂを介して、第三オフセット印刷ユニット２０ｃの圧胴２１ｃに対接している。この第三オフセット印刷ユニット２０ｃも、前記第一，二オフセット印刷ユニット２０ａ，２０ｂと同様にして、ゴム胴２２ｃ、版胴２３ｃ、インキ供給装置２４ｃ、給水装置２５ｃ等を備えている。
【００１５】
さらに、第三オフセット印刷ユニット２０ｃの圧胴２１ｃのゴム胴２２ｃより回転方向下流側は、渡胴２６ｃを介して、第四オフセット印刷ユニット２０ｄの圧胴２１ｄに対接している。この第四オフセット印刷ユニット２０ｄも、前記第一〜三オフセット印刷ユニット２０ａ〜２０ｃと同様にして、ゴム胴２２ｄ、版胴２３ｄ、インキ供給装置２４ｄ、給水装置２５ｄ等を備えている。
【００１６】
図１，３に示すように、第四オフセット印刷ユニット２０ｄの圧胴２１ｄのゴム胴２２ｄより回転方向下流側には、渡胴２６ｄを介してスクリーン印刷ユニット２０ｅの圧胴２１ｅが対接している。圧胴２１ｅの前記渡胴２６ｄより回転方向下流側には、ゴム胴２２ｅが対接している。
【００１７】
前記ゴム胴２２ｅの胴本体２２ｅａの外周面の前記圧胴２１ｅのシート状物保持手段であるくわえ爪装置２１ｅ１との対向位置には、切欠き部２２ｅｂが形成されている。胴本体２２ｅａの上記切欠き部２２ｅｂ内には、当該胴本体２２ｅａの外周面に巻き付けられるゴム製のブランケット２２ｅｄの端部を保持する保持装置２２ｅｃが設けられている。胴本体２２ｅａの切欠き部２２ｅｂ部分には、当該胴本体２２ｅａの外周面と同一の曲率をなした板型のカバー２２ｅｅが当該切欠き部２２ｅｂを覆うようにして取り付けられている。このカバー２２ｅｅの前記圧胴２１ｅのくわえ爪装置２１ｅ１との対向位置には、図４に示すように、逃がし穴２２ｅｆが形成されており、当該カバー２２ｅｅと上記くわえ爪装置２１ｅ１との干渉が避けられるようになっている。
【００１８】
前記ゴム胴２２ｅの前記圧胴２１ｅより回転方向上流側には、ロータリースクリーン２７が対接している。このロータリースクリーン２７は、絵柄に応じた小孔をエッチングした薄いスクリーン（ステンレスやニッケルなどからなる）を円筒状にして回転可能に支持した中空胴２７ａと、この中空胴２７ａの内部でフレームに固定支持されたインキ壺２７ｂおよびスキージ２７ｃとを備えている。
【００１９】
つまり、ロータリースクリーン２７は、中空胴２７ａが圧胴２１ｅの回転に連れて回転し、インキ壺２７ｂ内の液体である特殊インキ等がスキージ２７ｃにより中空胴２７ａの上記小孔から押し出されることにより、ゴム胴２２ｅのブランケット２２ｅｄに対して特殊インキ等を転写することができるようになっているのである。
【００２０】
図１に示すように、スクリーン印刷ユニット２０ｅの圧胴２１ｅのゴム胴２２ｅより回転方向下流側には、渡胴２６ｅが対接している。渡胴２６ｅの前記圧胴２１ｅより回転方向下流側には、乾燥ユニット２０ｆの搬送胴２８が対接している。搬送胴２８の前記渡胴２６ｅより回転方向下流側には、紫外線（ＵＶ）を照射する乾燥用ランプ２９が配設されている。
【００２１】
乾燥ユニット２０ｆの搬送胴２８の前記乾燥用ランプ２９より回転方向下流側には、排紙部３０の排紙胴３１が対接している。排紙胴３１には、スプロケット３２が同軸をなして一体的に回転できるように設けられている。また、排紙部３０には、排紙台３５が設けられている。排紙台３５の上方には、スプロケット３３が設けられている。上記スプロケット３２，３３間には、図示しない排紙爪を所定の間隔で複数取り付けられた排紙チェーン３４が掛け渡されている。
【００２２】
このようにして構成された印刷機の作用を次に説明する。
【００２３】
給紙部１０の給紙台１１からフィーダボード１２上へ一枚ずつ送り出された枚葉紙１をスイング装置１３で印刷部２０の第一オフセット印刷ユニット２０ａの圧胴２１ａに受け渡す一方、当該第一オフセット印刷ユニット２０ａのインキ供給装置２４ａおよび給水装置２５ａからインキおよび湿し水を版胴２３ａに供給し、当該版胴２３ａからゴム胴２２ａに供給すると、上記枚葉紙１は、ゴム胴２２ａからインキを転写されて第一色目の印刷を施された後、渡胴２６ａを介して第二オフセット印刷ユニット２０ｂの圧胴２１ｂに受け渡され、上記第一オフセット印刷ユニット２０ａと同様に、当該第二オフセット印刷ユニット２０ｂにおいて第二色目の印刷を施され、以下同様に、第三，四オフセット印刷ユニット２０ｃ，２０ｄにおいて第三，四色目の印刷を施され、渡胴２６ｄを介してスクリーン印刷ユニット２０ｅの圧胴２１ｅに受け渡される。
【００２４】
スクリーン印刷ユニット２０ｅの圧胴２１ｅに受け渡された枚葉紙１は、先に説明したようにしてロータリースクリーン２７からの特殊インキ等がゴム胴２２ｅを介して厚盛りで印刷される。このとき、ゴム胴２２ｅのカバー２２ｅｅの逃がし穴２２ｅｆにより、圧胴２１ｅのくわえ爪装置２１ｅ１との干渉を避けることができると共に、当該カバー２２ｅｅにより、ロータリースクリーン２７のスキージ２７ｃの切欠き部２２ｅｂ内への落ち込みを防ぐことができる。
【００２５】
スクリーン印刷ユニット２０ｅで厚盛り印刷を施された枚葉紙１は、圧胴２２ｅから渡胴２６ｅに受け渡された後、乾燥ユニット２０ｆの搬送胴２８に受け渡され、乾燥用ランプ２９からのＵＶにより、印刷された特殊インキ等が乾燥された後、排紙部３０の排紙胴３１に受け渡され、前記排紙爪を介して排紙チェーン３４の走行移動により搬送され、排紙台３５上に排紙される。
【００２６】
このような印刷機においては、先に説明したように、ゴム胴２２ｅのカバー２２ｅｅの逃がし穴２２ｅｆにより、圧胴２１ｅのくわえ爪装置２１ｅ１との干渉が避けられるので、ロータリースクリーン２７に対する障害物がなく、また、ゴム胴２２ｅのカバー２２ｅｅにより、ロータリースクリーン２７のスキージ２７ｃの切欠き部２２ｅｂ内への落ち込みが抑えられるので、ロータリースクリーン２７を損傷することなく枚葉紙１にスクリーン印刷を施すことができる。
【００２７】
したがって、上記印刷機によれば、ロータリースクリーン２７による特殊インキ等の厚盛り印刷を枚葉紙１に良好に行うことができる。
【００２８】
なお、本実施の形態では、第一〜四オフセット印刷ユニット２０ａ〜２０ｄの下流側にスクリーン印刷ユニット２０ｅおよび乾燥ユニット２０ｆを配設するようにしたが、例えば、図５に示すように、第一〜四オフセット印刷ユニット２０ａ〜２０ｄの上流側にスクリーン印刷ユニット２０ｅおよび乾燥ユニット２０ｆを配設したり、図６に示すように、第一，二オフセット印刷ユニット２０ａ，２０ｂと第三，四オフセット印刷ユニット２０ｃ，２０ｄとの間にスクリーン印刷ユニット２０ｅおよび乾燥ユニット２０ｆを配設することも可能である。
【００２９】
また、本実施の形態では、オフセット印刷ユニット２０ａ〜２０ｄとスクリーン印刷ユニット２０ｅとを組み合わせた印刷機に適用した場合について説明したが、例えば、図７に示すように、オフセット印刷ユニットがなく、給紙部１０、スクリーン印刷ユニット２０ｅ、乾燥ユニット２０ｆ、排紙部３０からなるスクリーン印刷機に適用することも可能である。
【００３０】
また、本実施の形態では、スクリーン印刷ユニット２０ｅのロータリースクリーン２７のインキ壺２７ｂ内に特殊インキ等を入れて厚盛り印刷する場合について説明したが、これに限らず、例えば、ロータリースクリーンのインキ壺にニス等を入れてコーティング装置として枚葉紙にニスを塗布するような場合など、圧胴に保持されたシート状物にロータリースクリーンから液体を供給するような場合であれば、上述した場合と同様にして適用することができる。
【００３１】
また、本実施の形態では、スクリーン印刷ユニット２０ｅの圧胴２１ｅのくわえ爪装置２１ｅ１と対向する位置に逃がし穴２２ｅｆを有するカバー２２ｅｅをゴム胴２２ｅの切欠き部２２ｅｂに取り付けたが、例えば、ゴム胴の切欠き部の軸心方向両端側にのみカバーを設けることにより、圧胴のくわえ爪装置と対向する位置に逃がし穴を有するようにして、圧胴のくわえ爪装置との干渉を避けながらも、ロータリースクリーンのスキージの落ち込みを防ぐことも可能である。
【符号の説明】
【００３２】
１  枚葉紙
１０  給紙部
１１  給紙台
１２  フィーダボード
１３  スイング装置
２０  印刷部
２０ａ〜２０ｄ  第一〜四オフセット印刷ユニット
２０ｅ  スクリーン印刷ユニット
２０ｆ  乾燥ユニット
２１ａ〜２１ｄ  圧胴
２１ｅ１  くわえ爪装置
２２ａ〜２２ｄ  ゴム胴
２２ｅａ  胴本体
２２ｅｂ  切欠き部
２２ｅｃ  保持部
２２ｅｄ  ブランケット
２２ｅｅ  カバー
２２ｅｆ  逃がし穴
２３ａ〜２３ｄ  版胴
２４ａ〜２４ｄ  インキ供給装置
２５ａ〜２５ｄ  給水装置
２６ａ〜２６ｅ  渡胴
２７  ロータリースクリーン
２７ａ  中空胴
２７ｂ  インキ壺
２７ｃ  スキージ
２８  搬送胴
２９  乾燥用ランプ
３０  排紙部
３１  排紙胴
３２，３３  スプロケット
３４  排紙チェーン
３５  排紙台
【図１】
0004890580.tif 000002
【図２】
0004890580.tif 000003
【図３】
0004890580.tif 000004
【図４】
0004890580.tif 000005
【図５】
0004890580.tif 000006
【図６】
0004890580.tif 000007
【図７】
0004890580.tif 000008